(57)【特許請求の範囲】
【請求項１】
前面にある可視表面（１ａ）、並びにこの可視表面とは反対側の後面を有する基部（１）と、この基部（１）内に形成された、１もしくは複数の第１の開口（２）とを具備し、
前記開口は、前記可視表面（１ａ）から前記後面まで延び、これら両方の面で開いており、
前記第１の開口（２）中には、全長に渡って一定の断面を有する可動部材（３）が、挿入されており、この可動部材（３）は、前記開口の内周面と可動部材（３）の外周面とが接触することにより、前記第１の開口から抜け落ちないように、第１の開口中に保持されており、
前記可動部材（３）は、可動部材（３）の前面（５）が基部（１）の前記可視表面（１ａ）から見ることができる第１の位置から、前記前面（５）が、基部（１）の前記可視表面（１ａ）から実質的に見えないように前記可視表面（１ａ）の後方に、前記可視表面に対して距離を置いて位置される第２の位置へと移動可能である、
製品に関する情報を表示するための、文字、数字もしくは記号をディスプレイするためのディスプレイ装置。
【請求項２】
前記可動部材（３）は、可動部材（３）の前後方向に延びた中心軸が、前記第１の開口（２）の前後方向に延びた中心軸と直線的にアラインメントされるようにして、前記第１の開口中で第１の位置と第２の位置との間で移動可能であることを特徴とする、請求項１のディスプレイ装置。
【請求項３】
前記１もしくは複数の第１の開口は、全長に渡って、一定の断面を有することを特徴とする、請求項１もしくは２のディスプレイ装置。
【請求項４】
前記１もしくは複数の第１の開口（２）と可動部材（３）との少なくとも一方は、円形の断面を有することを特徴とする、請求項１乃至３のいずれか１のディスプレイ装置。
【請求項５】
前記１もしくは複数の第１の開口（２）と可動部材（３）との少なくとも一方は、矩形の断面を有することを特徴とする、請求項１乃至３のいずれか１のディスプレイ装置。
【請求項６】
前記複数の第１の開口（２）は、マトリックス形状に配置されていることを特徴とする、請求項１乃至５のいずれか１のディスプレイ装置。
【請求項７】
前記複数の第１の開口（２）の各々に挿入された可動部材は、選択的に前記第１の位置に移動されて、前記可視表面で全体として文字、数字もしくは記号の形状となることを特徴とする、請求項１乃至５のいずれか１のディスプレイ装置。
【請求項８】
前記１もしくは複数の第１の開口（２）は、多角形の断面を有するセグメント形状を有することを特徴とする、請求項１乃至３のいずれか１のディスプレイ装置。
【請求項９】
前記基部（１）は、レール形状の溝（４４）を備えた表面を有することを特徴とする、請求項１乃至８のいずれか１のディスプレイ装置。
【請求項１０】
前記基部（１）は、基部を貫通した少なくとも１つのボア（７）を有し、前記ボアに、ピン（８）が、挿入され得ることを特徴とする、請求項１乃至９のいずれか１のディスプレイ装置。
【請求項１１】
前記基部（１）は、取着部材（９）が中に挿入され得る、少なくとも１つの第２の開口（１０）を有することを特徴とする、請求項１乃至１０のいずれか１のディスプレイ装置。
【請求項１２】
前面にある可視表面（１ａ）、並びにこの可視表面とは反対側の後面を有する基部（１）と、この基部（１）内に前記可視表面から後面へと延びるように形成された複数の開口（２）と、これら開口に夫々移動可能に挿入された複数の可動部材（３）とを具備し、これら可動部材は、可動部材（３）の一面（５）が基部（１）の前記可視表面（１ａ）から見ることができる第１の位置と、前記一面（５）が、基部（１）の可視表面（１ａ）の後方に、実質的に見えないように距離を置いて位置される第２の位置との間で移動される表示装置において、
上保持部（１１）と、
この上保持部（１１）の中央部に、回動可能かつ移動可能なように取着された下保持部（１２）と、
前記複数の可動部材（３）に対応して配設された複数のピン形状の較正部材（２３）と、
設定される複数のキャラクターに従って配置された、複数のピン形状の設定部材（２５）とを更に具備し、
前記ピン形状の設定部材（２５）と複数のピン形状の較正部材（２３）とは、前記上保持部（１１）に設けられ、また、ピン形状の較正部材（２３）の自由面は、ピン形状の設定部材（２５）の自由面と互いに離間して向き合っており、この結果、
前記上保持部（１１）と下保持部（１２）とを、互いに押すことによって、前記ピン形状の較正部材（２３）が、前記複数の開口中の可動部材を押すように移動すると共に、ピン形状の設定部材（２５）が、基部（１）の所定の開口（２）中の可動部材を押すように移動し、この結果、前記複数の可動部材（３）のうち、キャラクターに対応した可動部材が第２の位置から第１の位置へと移動されることを特徴とする、表示装置。
【請求項１３】
前記上保持部（１１）中に設けられた、複数のピン形状の設定部材（２５）は、ディスプレイされるキャラクターを設定するために前記上保持部に移動可能に設けられた少なくとも１つの設定テンプレート（２４）の上に配置されていることを特徴とする、請求項１２の表示装置。
【請求項１４】
請求項１ないし１１のいずれか１のディスプレイ装置の複数の可動部材（３）を前記複数の第１の開口（２）内で基部（１）に対して移動させるための装置において、
上保持部（１１）と、
この上保持部（１１）の中央部に、回動可能かつ移動可能なように取着された下保持部（１２）と、
前記複数の可動部材（３）に対応して配設された複数のピン形状の較正部材（２３）と、
設定される複数のキャラクターに従って配置された、複数のピン形状の設定部材（２５）とを具備し、
前記ピン形状の設定部材（２５）と複数のピン形状の較正部材（２３）とは、前記上保持部（１１）に設けられ、また、ピン形状の較正部材（２３）の自由面は、ピン形状の設定部材（２５）の自由面と互いに離間して向き合っており、この結果、
前記上保持部（１１）と下保持部（１２）とを、互いに押すことによって、前記ピン形状の較正部材（２３）が、前記第１の開口中の可動部材を押すように移動すると共に、ピン形状の設定部材（２５）が、基部（１）の所定の第１の開口（２）中の可動部材を押すように移動し、この結果、前記複数の可動部材（３）のうち、キャラクターに対応した可動部材が第２の位置から第１の位置へと移動されることを特徴とする、移動させるための装置。
【請求項１５】
前記下保持部（１２）の１つの端領域と前記上保持部（１１）とを接続している、少なくとも１つの引張ばね（１３）と、
回転可能なように接続点（１７）で相互接続された第１並びに第２のレバー（１５、１６）を有するレバー結合体（１４）とを更に具備し、前記第２のレバー（１６）は、下保持部（１２）に回動可能に取着され、前記第１のレバー（１５）は、上保持部（１１）に回転可能に取着され、また、
前記下保持部（１２）に接続され、前記接続点（１７）に作用する、少なくとも１つの引張ばね（１８）と、
前記上保持部（１１）中に設けられ、前記複数のピン形状の較正部材（２３）が底部に配設された設定チャンバ（２２）と、
少なくとも１つの開口（３２）を夫々有し、下保持部（１２）と接続され、上保持部（１１）内を垂直に移動可能なように保持された、２つのブラケット（２１、２１ａ）とを、更に具備し、
前記設定チャンバには、前記ディスプレイ装置が挿入され、また、前記ピン形状の較正部材（２３）が、挿入されたディスプレイ装置の第１の開口（２）中に突出するようにして、前記設定チャンバに挿入可能であり、
前記少なくとも１つの設定テンプレート（２４）は、複数の設定テンプレート（２４）であり、
前記ピン形状の設定部材（２５）は、前記ピン形状の較正部材（２３）とは逆方向から、前記設定チャンバ（２２）内のディスプレイ装置の第１の開口中へと突出可能であり、
前記上保持部と下保持部との相対的な回動により、前記複数のピン形状の較正部材は、設定チャンバ（２２）内のディスプレイ装置の複数の第１の開口（２）中に突出して前記可動部材を一方向に押し、そして前記複数のピン形状の設定部材は、設定チャンバ（２２）内のディスプレイ装置の複数の第１の開口（２）中に突出して前記可動部材（３）他方向に押してキャラクターを設定することを特徴とする、請求項１４の移動させるための装置。
【請求項１６】
押出しブラケット（３４）が、前記設定チャンバ（２２）内に配置され、この押出しブラケットは、第１並びに第２のエントレインメント部材（４２，４３）と、下側の、２つの傾斜された肩部（３７，３８）とを有し、この押出しブラケット全体は、ばね（４１）によって、前記設定チャンバ（２２）の底部に接続されており、また、フック形状のノーズ（４０）が、押出しブラケット（３４）の肩部（３８）に対応する、設定チャンバ（２２）の底に、配置されており、
前記ディスプレイ装置（３０）が、設定チャンバ（２２）に挿入されたときに、前記押出しブラケットは、前記第２のエントレインメント部材（４３）を介して、前記ばね（４１）の付勢力に抗して一方向に移動し、前記ディスプレイ装置（３０）が設定チャンバ（２２）から排出されるときに、前記押出しブラケットは、前記第１のエントレインメント部材（４２）を介して、前記ばね（４１）の付勢力に抗して上方に移動して、前記ディスプレイ装置（３０）を設定チャンバ（２２）から押出すことを特徴とする、請求項１５の移動させるための装置。
【請求項１７】
前記下保持部（１２）の一端領域と前記上保持部（１１）とを接続する、少なくとも１つの引張ばね（１３）と、
上保持部（１１）と下保持部（１２）との間に移動可能に配置され、これら保持部のブラケット（４７，４８）の２つの端領域に当って静止し、ばね（１８）によって上保持部（１１）に接続されているレバー（４６）と、
上保持部に配置され、前記ピン形状の較正部材（２３）が底部に配設され、前記ディスプレイ装置（３０）が挿入される設定チャンバ（２２）と、
前記少なくとも１つの設定テンプレートを較正するように、上保持部（１１）内で互いに移動可能なように配置された、複数の設定テンプレート（２４）とを具備し、
前記複数の設定テンプレート（２４）の各々に配置された、前記複数のピン形状の設定部材（２５）は、前記設定チャンバの底部に配置された前記複数のピン形状の較正部材（２３）とは逆方向に、設定チャンバ（２２）中へと突出可能であり、また、
少なくとも１つの開口（３２）が夫々形成され、ピン（２０、２０ａ）によって下保持部（１２）に接続され、上保持部（１１）内を垂直に移動可能なように保持されている２つのブラケット（２１，２１ａ）とを具備し、
前記上保持部と下保持部との相対的な回動により、前記較正部材は、設定チャンバ（２２）内のディスプレイ装置（３０）の複数の可動部材を一方向に押し、そして設定部材は、ディスプレイ装置（３０）の複数の可動部材を他方向に押してキャラクターを設定することを特徴とする、請求項１４の、移動させるための装置。
【請求項１８】
押出し機構が、前記設定チャンバ（２２）内に設けられ、この押出し機構は、挿入方向に移動可能で、引張ばね（４１）によって前記設定チャンバの底と止め部とに押され、挿入もしくは押出し開口（３２ａ、３３ａ）の方向へ動かされる押出しブラケット（３４）を有し、この押出しブラケット（３４）には、第１並びに第２のエントレインメント部材（４２，４３）が設けられており、第２のエントレインメント部材（４３）は、押出しブラケットの一部に、ブリッジ（５４）中にラッチされ得るフック（５３）によって基部（１）の表面を介してプレテンションを与えており、
前記ディスプレイ装置（３０）が、設定チャンバ（２２）に挿入されたときに、前記押出しブラケットは、前記第２のエントレインメント部材（４３）を介して、前記ばね（４１）の付勢力に抗して一方向に移動し、前記ディスプレイ装置（３０）が設定チャンバ（２２）から排出されるときに、前記押出しブラケットは、前記第１のエントレインメント部材（４２）を介して、前記ばね（４１）の付勢力に抗して上方に移動して、前記ディスプレイ装置（３０）を設定チャンバ（２２）から押出す、ことを特徴とする、請求項１７の移動させるための装置。
【請求項１９】
前記第１のエントレインメント部材（４２）は、前記押出しブラケット（３４）の全長に渡って実質的に延び、前記設定チャンバ（２２）内のディスプレイ装置の基部（１）と係合され得ることを特徴とする、請求項１８の移動させるための装置。
【請求項２０】
前記押出しブラケット（３４）は、前記ディスプレイ装置（３０）の設定チャンバ中への挿入方向（３６）に平行に延びている、設定チャンバの壁に設けられていることを特徴とする、請求項１８又は１９の移動させるための装置。
【請求項２１】
前記押出しブラケット（３４）は、前記設定チャンバ（２２）内のディスプレイ装置の押出しを制動するために、基部（１）を僅かな圧力で押すために前記設定チャンバ（２２）の反対側の壁の方向に曲げられることを特徴とする、請求項１８乃至２０のいずれか１の移動させるための装置。
【発明の詳細な説明】
【技術分野】
【０００１】  本発明は、文字、数字もしくは記号をディスプレイするための装置と、この装置を設定するための装置とに関する。
【背景技術】
【０００２】  効果的な宣伝のための、価格、説明、注記、技術的な仕様書等のレタリングが、今日では重要である。消費者は、自らが購入しようとする製品について可能な限り正確に知りたいと、ますます要求する及び願うようになってきている。従って、一方では、例えば正確な価格、製品の材料及び技術的なデータについての情報を得ることは、消費者にとって重要である。他方では、これは、製品のヴェンダーもしくは売り手に対して、与えられるべき付加的なアドバイスなしでも目下のところ十分な知識を得たという感覚を消費者に与えるという利点を、提供する。
かくして、店のディスプレイもしくは販売場所に陳列された品に価格のタグもしくは他の種類のレタリングを与えることは、確実に、世界中の通例となっている。従って、消費者は、ある特定の製品に関する価格／性能の比率によりこの製品を購入するかしないかを決めるときに、非常に簡単に決定を下すことができる。【０００３】  価格をディスプレイするのに概して使用される装置は、通常は、小さな板に印刷された個々の文字もしくは数字が挿入される、小さなレールである。
更に、価格のラベルを紙に印刷して、これを、製品に配置されたフィルムに取り付けることが、通例となっている。
また、各々が、数字、文字もしくは記号（通貨文字）を有する、小さなプラスチックの立方体が、使用されている。このようにして、種々の異なった価格もしくは他のデータが構成され得る。
【発明が解決しようとする課題】
【０００４】  最新技術に係わる、これら装置の不利な点は、製品に価格もしくは他のデータを表示したいと考えている製品のヴェンダーが、個々の部品から苦労して種々の価格を作成するために、各製品に、文字、数字もしくは記号の保管ボックスを与えなくてはならないことである。多くの個々の部品が既になくなってしまったり、価格の表示に必要になる、特に数字もしくは文字もしくは作成される所望の文章が、全ての数字／文字が既に他製品に使用されていて存在しない、というようなことの起こる可能性が高い。一般に、ヴェンダーは、十分な数の、文字、数字もしくは記号を備えたブロックを常に確実に有していると、言われている。さもなければ、所望の価格もしくは文章を有する製品の表示が不可能なためである。
【０００５】  印刷された価格もしくは情報のラベルの使用においては、これらは、まず印刷され、次に各製品に運ばれて、ここでスリーブ中に挿入されるという、不利な点がある。価格のラベルの貼り付けが、例えば異なった位置に貼られるなど、誤っているときには、この誤ったラベルは、新しいラベルの印刷後にのみ取り替えられ得る。付加的な不利な要因は、価格を任意に変更するには、古い価格タグの廃棄が必要になるという点である。
【０００６】  開口が基部にマトリックス状に形成され、可動部材を有し、この可動部材は、これの前側が基部の可視表面から見ることができる第１の位置から、前記前面が実質的に見えないように設けられている第２の位置へと移動可能である装置が、米国特許３，７２４、１１０号により公知である。磁気ボールが、他の磁石によって可視位置へ運ばれ得る可動部材として使用されている。ボールを可視位置で止めておくために、付加的な保持手段が、開口中に突出した、磁気レールもしくはエッジもしくは縁のような基部に設けられ得る。エッジもしくは縁は、ボールに作用し、これらを定位置に留める。こうした留め具を外すためには、例えばピン形状の物品によってボールを押すことが必要である。しかしながら、通常は、ボールをこれらが見えない非可視領域へ動かすために、基部を強く振動させることで、十分である。米国特許３，７２４，１１０号に説明された装置の不利な点は、開口へのボールの導入が、開口を閉鎖しているエッジもしくは縁の存在によって比較的困難であるという事実である。更に、これらエッジと縁とは、比較的磨り減るのが早く、かくして、これらの可視領域にボールを留めておくことは、不可能である。
【０００７】  更に、こうした装置は、米国特許３、７２４、１１０号の原則に係わって機能する、ＤＥ１６２３８００Ａ号と、ＧＢ９９００９４Ａ号と、ＦＲ１４６５４９０号もしくはＧＢ２３１７４９０Ａ号からも公知である。これらの場合、可動部材の作動は、電流もしくは流体によって引き起こされる。かくして、例えば価格のラベル等のディスプレイ手段としての使用は、可動部材の駆動システムがこのようなディスプレイ装置の小型化に関連して制限を課していることから、不可能であるか、僅かな制限範囲内でのみ可能である。
【０００８】  かくして、本発明の目的は、上述されたようなタイプの、小さくかつ便利で、種々の文字を保管し、及び所望の情報を表示するために文字、数字もしくは記号を任意の不便なパズルのように構成する必要なしに、文字、数字もしくは記号のディスプレイを可能にする装置を提供することである。本発明の更なる目的は、上述されたようなタイプの、可動部材を動かすために流体並びに／もしくは電流を使用せずに使用可能で、また、任意の付加的な予備手段がなくとも可動部材を開口内に止められるようにする、装置を提供することである。
【課題を解決するための手段】
【０００９】  これは、請求項１の特徴によって果たされ得る。
一方では、開口と可動部材との間の、動きばめ及び滑動シートが、可動部材の開口内における容易な移動を可能にする。他方では、可動部材が、解放後直ちに瞬時の所定位置に取着される。付加的な製造を必要とする、不可的なエッジもしくはリップは、不要である。
請求項４乃至６の特徴によって、キャラクターの数に応じた所定数の開口を用いて、幅広いキャラクターをディスプレイすることが可能である。これらの特徴は、１つの装置のみにより、全ての言語の文字、例えば任意の所望のフォント、または特定のキャラクターなどがディスプレイされるのを、可能にする。
【００１０】  請求項７に示された特徴により、複数の可動部材を動かすことによって個々のキャラクターを形成する必要が無くなった。見ている人が視覚的に認識できるキャラクターを形成するためには、１つの部材を動かすだけで十分である。解決法のこの応用例は、まれにしか変更もしくは調節する必要がないキャラクターの場合に、特に適している。
請求項８の特徴により、任意の所望のキャラクターのディスプレイ、特に、例えばＬＣＤディスプレイ内で使用されるような、公知の７セグメントディスプレイが可能である。
請求項９の特徴により、紙片、厚紙もしくはプラスチック上に印刷される付加的な情報を溝内に取着することが可能である。
請求項１０の特徴により、少なくとも１つのピンによって、各商品上に本発明に係わる装置を取着することが可能である。
【００１１】
請求項１１の特徴により、他の種々の取着部材を、本発明に係わるディスプレイ装置に取着することが可能である。このように、装置は、曲げ易く、各商品に取着され得る。  
本発明の更なる目的は、基部内の可動部材を移動させてディスプレイするための装置を提供することである。  
これは、本発明に係われば、請求項１２乃至２０の特徴を有することによって可能である。  
請求項１２の特徴により、可動部材を、容易に、ディスプレイされるキャラクターに対応した構成にさせることが可能である。２つの保持部を互いに押すことによって、ピン形状の部材が、キャラクターをディスプレイするための装置の開口内で連続的に係合し、かくして、可動部材を、最初の位置に移動させ、続いて、ディスプレイされるキャラクターに対応した位置に移動させる。
【００１２】
請求項１３の特徴により、ディスプレイされるキャラクターのテンプレートから、ディスプレイされるキャラクターを選択することが可能である。  
請求項１４は、設定装置の好ましい実施形態を説明している。  
請求項１５の特徴により、本発明に係わる設定装置の、設定チャンバからの容易な押出しが可能である。  
請求項１６は、少ない部品によって特徴付けられる、本発明に係わる設定装置の代わりの実施形態を説明している。  
請求項１７乃至２０に係わる代わりの押出し機構は、価格ラベルの基部の、押出しの制動と、設定チャンバ中への直線的な挿入とを可能にしている。
【発明を実施するための形態】
【００１３】  本発明が、添付図面を参照して、より詳細まで説明される。
図１は、本発明に係わる、キャラクターをディスプレイするための装置の正面図を示す。複数の開口２が、基部１に設けられている。これら開口は、ボアのように形成されている。これらは、この例においては、マトリックス（matrix）形状に配置されている。任意の所望のキャラクター（等しい特有のキャラクター）が、このようにかなり容易に表示され得る。
【００１４】  図２は、本発明に係わる装置の断面図を示す。ボア２に沿って移動可能に設けられている可動部材３が、明らかに認められ得る。可動部材３は、滑動シートたよって、開口２中に適合されており（動きばめ）、かくして、可動部材３が開口２から偶然に抜け落ちるようなことは起こり得ない。可動部材３と、基部１とには、夫々異なった色が与えられ得る。
【００１５】  また、本発明に係わる影響は、可動部材３と基部１とが同じ色（黒を除いて）のときにも果たされる。これは、基部１中に押し込まれている可動部材３は、これらが互いに同じ色の場合には（黒を除いて）視覚的に認識されないままであるからである。従って、暗いレタリングという印象を人に与える。
本発明に係わる装置の前におり、矢印４の方向を見ている人には、彼が面している側５が基部１の表面と同一面であることから、基部１と全ての可動部材３とが見える。この例では、可動部材３の全ての一面５が見ている人に面する表面と同一面にあることを想定すると、見ている人には、図１に示されたマトリックスが見えるであろう。
【００１６】  図３は、開口２内で後方に押される（見る人から離れるように）、複数の可動部材３を有する。開口２の直径による挿入の深さから（この開口は、本実施例ではボアとして形成されている）、これら後方に押された可動部材に光が当たることはない。従って、これらは、可視方向４を見ている人からは見えない。このように、可視可動部材と非可視可動部材３との組み合わせにより、任意の所望のキャラクターをディスプレイすることが可能である。
【００１７】  図３に示されるように、開口２（ボア）は、見ている人には見えない、これらの後端領域で更にテーパー付けされている。可動部材３は、例えばキャラクターを設定する間に基部１から不注意に押し出されることのない程度まで、締め付けられている。
図４は、全ての可動部材が後方へ押されている基部１を示す。この場合は、見ている人には可動部材３が見えない。見ている人には、基部１即ち開口２のみが見える。基部１内の可動部材３の滑動シートは、可動部材３が基部１から抜け落ちるのを防ぐ。
図５の（Ａ）乃至図６の（Ｂ）は、夫々に、代わりの構成を有する基部１を示す。これらの構成により装置が僅かに傾斜した状態にされ、かくして、上からの斜めの視点から装置を見ている人は、配置されたキャラクターを読むことができる。図５（図５の（Ｂ））では、可動部材の全体的にマトリックス形状の配置が、再び見ている人に見える。他方で、図６（図６の（Ｂ））では、所定のキャラクターは、既に設定即ちディスプレイされている。
【００１８】  図７は、基部１に配置され、紙片６が挿入される溝４４を備えた、本発明に係わる装置を示す。紙は、ラベルが貼られる製品に関連する付加的な情報、もしくは他の所望のテキストを有することができる。
図８では、本発明に係わる装置には、例えばピン８が挿入される、少なくとも１つの付加的なボア７が設けられている。これは、本発明に係わる装置を例えば衣類のような製品に取着するために使用される。
図９は、本発明に係わる装置を、基部１内の付加的な開口１０に挿入されたホルダー９によって取着するための、代わりの形状を示す。
付加的なボア７及び開口１０が設けられた結果、多々の取着の可能性が多くなり、これらは、ラベルが貼られる製品の種々の材料及び形状によって調節できる。
図１乃至図９に示された基部全てに、円筒形の開口２（ボア）が設けられており、これら開口は、マトリックスの形状に配置されている。この場合、可動部材３は、滑動シートが基部１の各開口２と可動部材３との間に再度設けられると共に、円筒形状にされなくてはならない（動きばめ）。
【００１９】  明らかに、基部１の開口２と、可動部材３との他の形状及び構成が、可能である。
図１０は、例えば、基部１の、セグメントのような開口２の構成を示す。開口２のこのような構成及び構造は、数字及び単純な文字をディスプレイするのに十分である。機能は、円筒形の可動部材３を備えた円筒形の開口２の、マトリックス形状の構成と同じである。
図１１は、基部１の、記号の形に形成された開口２の構成を示す。開口２の構成全体が、この記号と同じ形状を有し得る。この場合には、関連する可動部材が、記号の形状にされなくてはならない。しかしながら、図１１の（Ｂ）に示された実施形態は、製造が比較的単純である。見る人の可視方向４に位置された、基部１の一面は、ディスプレイされる記号に対応した開口２ａを有する。開口２の更なる応用形は、通常は、円筒形もしくは立方形である。従って、可動部材３は、円筒形もしくは立方形形状にされることも可能で、ディスプレイされるキャラクター（記号）の複雑な形状に合わせて必ずしも調節する必要はない。また、機能は、全ての他の場合と同じである。
【００２０】
図１２は、本発明の請求項１乃至請求項１１に係わるディスプレイ装置のキャラクターを設定するための方法を実行する装置３５を示す。  
上保持部１１が、ばね１３とレバー結合体（lever combination）１４とを介して下保持部１２に接続されている。レバー結合体１４は、上保持部１１に回転可能なように保持されたレバー１５と、下保持部１２に回転可能に保持されたレバー１６とを有する。これら２つのレバー１５，１６は、回転可能に相互接続されている。ばね１８が、この下端で下保持部１２に取着され、２つのレバー１５，１６の接続点１７に、当たっている。かくして、下保持部１２は、上保持部１１の中央から上の部分と共に、実質的にＶ字形状をなす部材を形成している。更に、上保持部１１は、２つの開口３３、３３ａ（図１５）を有する。
【００２１】  従って、レバー結合体１４は、曲げストレスがある場合に、この結合体が所定の方向に従って曲げられるように、形成されている。これは、この例においては、上レバー１５に延長部１９が設けられ、これによって、２つのレバー１５，１６の互いに対する正確なアラインメント配列が防がれるような形で、果たされている。このように、レバー結合体１４は、曲げストレス下で、延長部１９が設けられている方向に、単に曲げられ得る。
【００２２】  更に、下半体１２は、ピン２０、２０ａ（ピン２０ａは図１２には図示されず）に回転可能に取着されている。ピン２０、２０ａは、２つのブラケット２１、２１ａ（ブラケット２１ａは図１２には示されず）に配置されている。これらブラケットは、縦方向に移動可能なように、上保持部１１に保持されている。ブラケット２１，２１ａには、開口３２，３２ａが、夫々形成されている。
【００２３】
更に、上保持部１１には、この中央部分に、実質的にＵ字形状の、上に開くタイプの設定チャンバ２２が設けられている。複数のピン形状の較正部材２３が、設定チャンバの底に配設されている。これら較正部材は、上方にアラインメントされる。設定チャンバ２２のディメンションは、図１乃至図１１に示された、本発明に係わるディスプレイ装置が空間内に適合するような大きさにされている。ブラケット２１、２１ａの開口３２，３２ａが、これらが開口３３，３３ａと係合して、装置内に連続的な開口を形成するように、アイドル位置で、アラインメントされている。この結果、本発明の請求項１乃至１１に係わるディスプレイ装置でのキャラクターを設定するための方法を実行することができる。設定チャンバには、押出し機構が更に設けられている（図１５の（Ａ））。
【００２４】
複数のテンプレート２４が、設定チャンバ２２の上方で、上保持部１１内の実質的にＵ字形状の案内レール２６内に、互いに隣接するように設けられている。テンプレート２４は、上保持部１１の長軸に沿って移動可能であり、これらの下側には、各テンプレートを夫々異なった均等な大きさの複数エリアに分けるエリア（area）セパレーター２８が設けられている。この部分の各エリアは、下方へアラインメントされている、複数のピン形状の設定部材２５を有する。これらピン形状の設定部材２５は、ディスプレイされるキャラクターの凹凸（the negative and positive）に正確に対応する。テンプレートの数は、ディスプレイ即ち設定されるキャラクターの数に実質的に応じている。かくして、通貨編集用文字と、セントの値を有する数字３桁の価格をディスプレイするための装置は、６つのテンプレートを必要とする（図５の（Ｂ）と図６の（Ｂ）を参照）。前記下方へアラインメントされているピン形状の設定部材２５は、前記上方にアラインメントされているピン形状の較正部材２３と図２６に明確に示されているようにアラインメントされている。この結果、設定部材２５の下端面である自由端面は、較正部材２３の上端面である自由端面と所定間隔を有して向きあっており、これらの間に基部１の開口２が位置している。
【００２５】  案内レール２６の底板２９には、区域２７で僅かに隆起したデザインに形成された、タング状の突出部４５が設けられている。かくして、テンプレート２４は、移動する際に、僅かに増した移動抵抗を受け、所定のラッチ（latching）を可能にする。隆起部の長さは、２つのエリアセパレーター２８間の長さに、正確に対応している。このようにして、エリア内での移動とテンプレートのラッチとが、可能である。オペレーターの設定に応じて、１つのエリアが、本発明に係わる装置３０が挿入された設定チャンバ２２の上方に、夫々正確に配置される。
【００２６】  図１６、図１７は、本発明に係わる設定装置の上面図を示す。移動可能なテンプレート２４が明らかに視界に入るので、使用者は、テンプレートを移動させることによって設定したいキャラクターを選択できる。使用者は、検査ウインドー３９によって、瞬時の設定を確認できる。
第１の工程において、本発明に係わる装置３０は、装置３５の据付チャンバ２２中へ押される（図１２）。続いて、使用者は、実質的に可動部材３と基部１とを用いて、ディスプレイされるキャラクターを設定する。テンプレート２４の上側には、理想的には、下のエリア部分に位置されたキャラクターを表すレタリングが設けられている。下保持部１２のハンドル部が、図１３に示された位置に到達するまで、上保持部１１のハンドル部に対して押される。
【００２７】  下保持部１２は、図１２の点３１を中心に回動する。この結果、ピン２０、２０ａとブラケット２１，２１ａとは、下方へ動く。ブラケット２１，２１ａの強制的な誘導の結果、下保持部１２のピボット軸は、絶対単位系（absolute system）中で移動する。図１２の点３１は、右側へ移動する。
一方で、ばね１３は、２つの部分を、強い力で加圧し、他方で、レバー結合体１４は、移動されたブラケット２１、２１ａと、かくして変えられた幾何学とによって、座屈させられることから、装置は、図１３の位置に到達すると、生じる挟撃のような運動に対して増した抵抗を作用させる。かくして、２つの保持部１１，１２らの更なる所定の接近が防がれる。
【００２８】
このプロセスでは、ばね１８が、レバー結合体１４の座屈に対して、付加的に作用する。  
上保持部１１と下保持部１２とが図１３に示された位置まで移動するのと同時に、本発明に係わるディスプレイ装置３０の全ての可動部材３は、ブラケット２１，２１ａによって、据付チャンバ２２中に配置されたピン形状の較正部材２３上に、押される。この結果、本発明に係わる装置の可動部材３が全て、本発明に係わる装置の基部１の表面と実質的に同一面になるように上方に移動されて、アラインメントされる。
【００２９】  図１３の位置で示されるように抵抗が増すのにも関わらず、上保持部１１、下保持部１２にかかる圧力が更に増されると、レバー結合体１４の座屈が、力の所定の作用によって生じる。このように、下保持部１２の全体は、ほぼ平行に、上方へ移動する。これは、一方では、一端領域でのばね１３のばね力が、他方では、他端領域で使用者によって適用される力が、上保持部１１の方向に作用するためである。
【００３０】  下保持部１２の、突然の、上方への実質的に平行な移動の結果、２つのブラケット２１，２１ａもまた、上方へ動き、かくして、基部１を上方へ移動させる。この結果、基部１は、テンプレート２４の、ピン形状の設定部材２５に押される。
【００３１】  この結果、基部１内の可動部材３は、本発明に係わる効果を果たし、見ている人が個々のキャラクターを読めるように、アラインメントされる。
２つの保持部１１，１２が解放された後、装置３５は、最初の位置に戻る。ブラケット２１、２１ａもまた、最初の位置へと戻る。かくして、開口３２，３２ａは、再び、開口３３、３３ａと連続的な開口を形成する。
【００３２】  本発明に係わる装置３０を、装置３５中に矢印３６の方向へ挿入することによって最初に張力をかけられた押出し機構は、保持部１２が最初の位置に移動された後に、本発明に係わる装置３０を、挿入されたときと逆方向に押出す（図１５の（Ａ）、（Ｂ）、（Ｃ））。
設定チャンバ２２中に装置３０を挿入する間、肩部３７，３８とエントレインメント部材４３とを有する押出しブラケット３４は、挿入方向３６へのエントレインメント部材４３のエントレインメントによって移動される。押出しブラケット３４の下エッジは、設定チャンバ２２の底に沿って移動する。フック形状のノーズ４０が、設定チャンバ２２の底に形成されている。肩部３８は、押出しブラケット３４が、設定チャンバ２２の底に沿って、特にノーズ４０の上を移動する際に、まず僅かに持上げられ、かくして、フック形状のノーズ４０を超えるように肩部３８が移動されるように、傾斜されている。押出しブラケット３４は、設定チャンバ２２の底の下でばね４１に取着されており、かくして、この押出しブラケットは、ノーズ４０の上を移動したあと、自動的に、再び水平位置に戻るだろう。
【００３３】  肩部３８は、ノーズ４０の上を移動したあと、ばね４１のばね力によって、このノーズ４０の後ろ側にラッチされる。本発明に係わる装置は、設定チャンバ内の所定位置に、取着される。配置プロセスの終了後、押出しブラケット３４は、本発明に係わる装置３０の垂直運動によって、再び持上げられ（この移動は、ブラケット２１，２１ａの垂直運動によって引き起こされる）、かくして、エントレインメント部材４２のエントレインメントを生じる。そして、肩部３８は、ノーズ４０の上を移動する。従って、ばね４１は、押出しブラケット３４を最初の位置に再び戻し、かくして、本発明に係わる装置３０を押出す。
【００３４】  図１９は、本発明に係わる、所望のキャラクターを設定するための装置３５の、更なる可能な実施形態を示す。第１の変形例の２つのレバー１５，１６は、１つのレバー４６と置き換えられている。これら２つのレバーは、上保持部１１に設けられたブラケット４７、下保持部１２に設けられたブラケット４８の端領域に、夫々当たって静止している。レバー４６は、ばね１８を介して、上保持部１１の、特に、設定チャンバ２２の下側に突出したブリッジ４９に、取着されている。かくして、レバー４６の軸受部は、片持ち形状に形成されている。このことは、このレバー４６は、ばね１８によってこれの位置でのみ保持され、また、上保持部材１１と下保持部材１２との間を締付けていることを、意味する。このような理由で、下保持部１２には、上保持部１１の側壁の溝内を案内される突出部（図示されず）が設けられ、かくして、下保持部１２は、上保持部１１において案内される。付加的なブリッジ５０が、設定チャンバ２２の下側に設けられ、ここに、レバー４６と堅く接続された支持部５１が、あたっている。本発明に係わる、所望のキャラクターを設定するための装置３５を組み立てる際には、レバー４６は、下保持部１２が上保持部１１に設けられる前に、上保持部１１に設けられ得る。
【００３５】  設定装置３５の上述された実施形態で既に説明されたように、２つの保持部１１，１２は、ハンドル部（図２０、図２１）で互いに押され、この結果、上保持部１１にあたっている、レバー４６の一方の端領域は、ハンドル部の方向に滑動する。このように、ばね１８とばね１３との両方に張力がかけられる。
【００３６】  設定チャンバ２２において、下保持部１２の運動の結果、ブラケット２１、２１ａは、ピン２０、２０ａによって下方へ押される。最初に、下保持部１２は、レバー４６の下端領域を中心に回動する。この結果、回動の中心から左よりに位置している、下保持部の一部分は、ブラケット２１，２１ａだけでなくピン２０，２０ａと共に、まず下方へ動く。従って、ブラケット２１，２１ａ間で張力をかけられた基部１は、設定チャンバの底２２に受けられた較正部材２３に、押される（図２０）。上述されたような実施形態と同様に、また、これと同じ理由で、レバー４６の上端領域は、上保持部１１及び下保持部１２のハンドル部の方向へ移動した後の所定位置に、移動する。これによって、下保持部は、上方への、実質的に並進的な運動を行い（図２２）、ブラケットは再び、ピン２０、２０ａによって上方へ移動する。よって、このあと、基部１は、テンプレート２４に設けられたピン形状の設定部材に押され、可動部材３も、これに応じて、移動される。下保持部１２は、このプロセスで、上保持部１１のエッジ５８にあたって静止する。
【００３７】  前述された変形例は、第１の変形例のレバー結合体１４を１つのレバーに変えることができるという利点を有する。
図２２は、アイドル位置にある設定チャンバ２２の押出し機構の、例えば挿入された基部１を有さない、代わりの実施形態を示す。これによって、ばねタング４５だけでなく、設定チャンバ２２の底から上方へ突出した、ピン形状の較正部材２３が、非常によく理解され得る。示されているアイドル位置で、押出しブラケット３４は、挿入もしくは押出しのための開口３２ａ、３３ａの方向へ、張力ばね４１によって、設定チャンバの底と止め部（Stop）５２とに押されている。押出しブラケット３４には、価格ラベル３０の基部１の表面側と係合され得るエントレインメント部材４３が、更に設けられている。矢印３６の方向への挿入が行われると、押出しブラケット３４もまた、エントレインメント部材４３を介して、方向３６へ移動される（図２４）。押出しブラケット３４に設けられたフック５３は、設定チャンバの壁に設けられたブリッジ５４でラッチされる。
【００３８】  上述されたような配置プロセスが終了すると、押出しブラケット３４は、価格ラベル３０の基部１の垂直運動（ブラケット２１，２１ａの垂直運動によって引き起こされる）によって持上げられる。ラベル３０は、押出しブラケット３４に設けられた第２のエントレインメント部材４２と、上方で係合する。この結果、フックは、ブリッジ５４との係合から解放される。
配置プロセスを終えた後、価格ラベル３０の基部１は、ブリッジ５４の後ろでフック５３が再びラッチされるのを防ぐ、ブリッジ５４より長い、更なるブリッジ５５によって、再び下方へ移動される。
【００３９】  設定装置が再び最初の位置に戻り、開口３２，３３，３２ａ、３３ａが１つの連続的な開口を再び形成すると、押出しブラケット３４は、ばね４１によって、挿入方向３６とは逆方向へ、止め部５２にぶつかるまで移動される。エントレインメント部材４３が設けられていることにより、価格ラベル３０の基部１は、この運動によって、設定チャンバの外へ押される。押出しブラケット３４を、設定チャンバの反対側の壁の方向へ曲げることによって、価格ラベル３０の基部１は、設定チャンバの反対側の壁に押される。この結果、この基部の押出しは、止め部５２までのところで制動され、衝突が防がれる。このプロセスで、エントレインメント部材４２は、押出しブラケット３４の全長に渡って延びているので、価格ラベル３０の基部１の、設定チャンバ２２への挿入は、常に直線的に生じる。
【００４０】  上保持部１２には、タング状の端領域５６を備えた底２９が更に設けられている（図１２、図２２）。端領域５６は、下方へ曲げられ得、かくして、設定テンプレート２４は、ブラケット５７とタング５６との間で押され得る。
【図面の簡単な説明】
【図１】  図１は、本発明に係わる、キャラクターをディスプレイするためのディスプレイ装置の正面図を示す。
【図２】  図２は、本発明に係わる、キャラクターをディスプレイするためのディスプレイ装置の、図１のＡ―Ａ線に沿った断面図を示す。
【図３】  図３は、本発明に係わる、開口に止面戸（stop strip）を備えた、キャラクターをディスプレイするためのディスプレイ装置を示す。
【図４】  図４は、本発明に係わる、非可視位置に可動部材が移動された、キャラクターをディスプレイするための代わりのディスプレイ装置を示す。
【図５】  図５の（Ａ）、（Ｂ）は、本発明に係わる、非可視位置に可動部材が位置された、キャラクターをディスプレイするための代わりのディスプレイ装置を示す。
【図６】  図６の（Ａ）、（Ｂ）は、本発明に係わる、非可視位置に可動部材が位置された、キャラクターをディスプレイするための代わりのディスプレイ装置を示す。
【図７】  図７は、本発明に係わる、紙片を挿入された、キャラクターをディスプレイするためのディスプレイ装置を示す。
【図８】  図８は、本発明に係わる、穿孔されたピンを備えた、キャラクターをディスプレイするためのディスプレイ装置を示す。
【図９】  図９は、本発明に係わる、保持部材を備えた、キャラクターをディスプレイするためのディスプレイ装置を示す。
【図１０】  図１０は、本発明に係わるディスプレイ装置の基部の開口の、代わりの形状及び構成を示す。
【図１１】  図１１の（Ａ）は、本発明に係わるディスプレイ装置の基部の開口の更なる代わりの形状及び構成を示し、（Ｂ）は、（Ａ）のＢ−Ｂ線に沿った断面図を示す。
【図１２】  図１２は、アイドル位置にある、本発明に係わる所望のキャラクターを設定するように可動部材を移動させるための装置の第１の実施形態の、図１６の線Ｃ−Ｃに沿った断面図を示す。
【図１３】  図１３は、較正位置にある、本発明に係わる移動させるための装置の、図１６の線Ｃ−Ｃに沿った断面図を示す。
【図１４】  図１４は、設定位置にある、本発明に係わる移動させるための装置の、図１６の線Ｃ−Ｃに沿った断面図を示す。
【図１５】  図１５の（Ａ）乃至（Ｃ）は、本発明に係わる、キャラクターをディスプレイするように可動部材を移動させるための装置の、図１６の線Ｄ−Ｄに沿った断面図を示す。
【図１６】  図１６は、キャラクターをディスプレイするように可動部材を移動させるための装置の上面図を示す。
【図１７】  図１７は、ディスプレイ部材によってキャラクターをディスプレイするように可動部材を移動させるための装置の、図１６とは異なる状態での上面図を示す。
【図１８】  図１８は、キャラクターをディスプレイするための装置なしで本発明に係わる方法を実行するための、本発明に係わる装置の、図１６の線Ｃ−Ｃに沿った断面図を示す。
【図１９】  図１９は、本発明に係わり、アイドル位置にある、所望のキャラクターを設定するための装置の第２の実施形態の、図１６の線Ｃ−Ｃに沿った断面図を示す。
【図２０】  図２０は、図１９に示されたような、設定装置の較正位置にある装置の、断面図を示す。
【図２１】  図２１は、図１９に示されたような、設定装置の設定位置にある装置の、断面図を示す。
【図２２】  図２２は、アイドル位置にある設定チャンバの、代わりの押出し機構の、図１８の線Ｅ−Ｅに沿った断面図を示す。
【図２３】  図２３は、アイドル位置にある設定チャンバの代わりの押出し機構の、図１８の線Ｅ−Ｅに沿った詳細断面図を示す。
【図２４】  図２４は、ラッチ位置にある代わりの押出し機構の、図１８の線Ｅ−Ｅに沿った詳細断面図を示す。
【図２５】  図２５は、代わりの押出し機構と、部分的に挿入もしくは押出されている、キャラクターをディスプレイするための装置との、図１８の線Ｅ−Ｅに沿った詳細断面図を示す。
【図２６】  図２６は、キャラクターをディスプレイするための装置の較正後の、設定チャンバの、図１６の線Ｃ−Ｃに沿った詳細断面図を示す。
【図２７】  図２７は、設定チャンバの、キャラクターを設定している際の、図１６の線Ｃ−Ｃに沿った詳細断面図を示す。
【図１】
0005474269.tif 000002
【図２】
0005474269.tif 000003
【図３】
0005474269.tif 000004
【図４】
0005474269.tif 000005
【図５】
0005474269.tif 000006
【図６】
0005474269.tif 000007
【図７】
0005474269.tif 000008
【図８】
0005474269.tif 000009
【図９】
0005474269.tif 000010
【図１０】
0005474269.tif 000011
【図１１】
0005474269.tif 000012
【図１２】
0005474269.tif 000013
【図１３】
0005474269.tif 000014
【図１４】
0005474269.tif 000015
【図１５】
0005474269.tif 000016
【図１６】
0005474269.tif 000017
【図１７】
0005474269.tif 000018
【図１８】
0005474269.tif 000019
【図１９】
0005474269.tif 000020
【図２０】
0005474269.tif 000021
【図２１】
0005474269.tif 000022
【図２２】
0005474269.tif 000023
【図２３】
0005474269.tif 000024
【図２４】
0005474269.tif 000025
【図２５】
0005474269.tif 000026
【図２６】
0005474269.tif 000027
【図２７】
0005474269.tif 000028